(57)【特許請求の範囲】
【請求項１】
機構盤の裏面上部に設けられる球タンクから球払出装置に球を供給するために前記機構盤に傾斜状に取り付けられるタンクレールの所定位置に設けられて該タンクレールの球通路の球を止める球止装置を備えた遊技機であって、
前記球止装置は、前記機構盤に形成される球止め用装着部と、該球止め用装着部に装着される球止部材と、から構成され、
前記球止め用装着部は、前記球通路と交差する前後方向に設けられた案内孔と、該案内孔の下部を開口した開口部と、からなり、
前記球止部材は、前記案内孔に対しスライド及び回動可能に嵌挿される軸体と、該軸体の外周から突出して一体状に設けられて前記開口部に対し前後方向にスライド移動可能で且つ当該開口部の開口範囲内で前記球通路と平行方向に揺動可能な球止体と、前記軸体と同軸状に連結される操作部と、からなり、
前記球止部材は、前記機構盤の背面から見て前記操作部を引き出すことにより、前記軸体を前記案内孔に対しスライド移動及び揺動させながら前記球止体の下端部が前記球通路の球の上部を止める球止位置と、前記操作部を押し込むことにより、前記軸体を前記案内孔に対しスライド移動させながら前記球止体が前記球通路から退避して球の通過を許容する非球止位置とに配置切換されることを特徴とする遊技機。
【請求項２】
請求項１に記載の遊技機であって、
前記案内孔の開口部の両側部には、前記球止体の揺動範囲を規制する両側壁部がそれぞれ設けられ、
前記両側壁部は、前記案内孔に接近する側が狭く同案内孔から遠ざかるにしたがって広くなるように対向して形成されていることを特徴とする遊技機。
【発明の詳細な説明】
【０００１】
【発明の属する技術分野】
この発明は、球（主としてパチンコ球）を使用して遊技を行う遊技機、例えば、パチンコ球を使用してスロットマシン遊技のような遊技を行う遊技機やパチンコ機のような弾球遊技機とも呼ばれている遊技機に関する。
【０００２】
【従来の技術】
球を使用して遊技を行う遊技機においては、その所定位置に形成された球通路に対し、球の流れを止める球止部材が設けられることがある。このような球止部材においては、例えば、球通路の近傍においてスライド可能に設けられ、同球止部材が球通路に交差する球止位置に配置されたときに球通路の球を止め、球通路から退避する非球止位置に配置されることで球通路の球の通過を許容するようになっている。
【０００３】
【発明が解決しようとする課題】
ところで、前記した従来の球止部材においては、その球止部材を非球止位置から球止位置に向けてスライド動作する際、その球止部材が球通路の球の中心を通る線上において、その球に当たると、これ以上のスライド動作が困難となり、ひいては球止位置に配置することができない場合があった。この発明の目的は、前記従来の問題点に鑑み、球止部材を非球止位置から球止位置まで良好にスライド動作させて配置切換することができる球止装置を備えた遊技機を提供することである。
【０００４】
【課題を解決するための手段】
前記目的を達成するために、第１の発明に係る遊技機は、請求項１に記載のとおりの構成を要旨とするもので、機構盤の裏面上部に設けられる球タンクから球払出装置に球を供給するために前記機構盤に傾斜状に取り付けられるタンクレールの所定位置に設けられて該タンクレールの球通路の球を止める球止装置を備えた遊技機であって、前記球止装置は、前記機構盤に形成される球止め用装着部と、該球止め用装着部に装着される球止部材と、から構成され、前記球止め用装着部は、前記球通路と交差する前後方向に設けられた案内孔と、該案内孔の下部を開口した開口部と、からなり、前記球止部材は、前記案内孔に対しスライド及び回動可能に嵌挿される軸体と、該軸体の外周から突出して一体状に設けられて前記開口部に対し前後方向にスライド移動可能で且つ当該開口部の開口範囲内で前記球通路と平行方向に揺動可能な球止体と、前記軸体と同軸状に連結される操作部と、からなり、前記球止部材は、前記機構盤の背面から見て前記操作部を引き出すことにより、前記軸体を前記案内孔に対しスライド移動及び揺動させながら前記球止体の下端部が前記球通路の球の上部を止める球止位置と、前記操作部を押し込むことにより、前記軸体を前記案内孔に対しスライド移動させながら前記球止体が前記球通路から退避して球の通過を許容する非球止位置とに配置切換されることを特徴とする。したがって、球止部材の球止体が非球止位置から球通路に交差する前後方向にスライド動作されて球止位置に配置される際、球止体の先端部が球通路の球の中心を通る方向に当たることがある場合に、球止体は、その下端部が球の上部の外周面に接しながら揺動（この場合、一方向に回動）しながら球止体は球止位置まで確実にスライド移動される。そして、球止位置に配置された球止部材の球止体によって球通路の球を止めることができる。
【０００５】
【０００６】
第２の発明に係る遊技機は、請求項２に記載のとおりの構成を要旨とするもので、前記案内孔の開口部の両側部には、前記球止体の揺動範囲を規制する両側壁部がそれぞれ設けられ、前記両側壁部は、前記案内孔に接近する側が狭く同案内孔から遠ざかるにしたがって広くなるように対向している。したがって、球止体のスライド動作及び揺動動作がガタツキなく円滑に行われる。
【０００７】
【０００８】
【発明の実施の形態】
この発明の実施の形態を図面にしたがって説明する。図１は球を使用して遊技を行う遊技機、この実施の形態ではパチンコ球を使用してスロットマシン遊技のような遊技を行う遊技機を後方から示す背面図である。図２は同じく遊技機の機構盤上部の球タンク、タンクレール、球払出装置、及び球止装置が配設された状態を一部破断して後方から示す背面図である。なお、説明の便宜上、遊技機に対する遊技者側を前、反対側を後という。図１と図２に示すように、遊技機は、外枠１０、装着枠５０、機構盤１００等を主体として構成されている。
【０００９】
外枠１０は方形枠状に形成され、その前側には前枠ヒンジ装置によって前枠（図示しない）が開閉可能に装着されている。この前枠の略中央部には、遊技盤（遊技に関する各種装置が組み付けられる。）に対応する開口窓が形成されている。前枠の後面側には、装着枠５０が固定手段よって固定状態で装着されている。この装着枠５０には、遊技盤が着脱可能に嵌込まれて装着される。また、装着枠５０の後側には、機構盤１００が、その一側において機構盤ヒンジ装置９０によって後方に開閉可能に装着され、閉止具９１によって閉じ状態に閉止保持されている。機構盤１００は、合成樹脂、軽金属等よりなり、その略中央部には、遊技盤の後側面に配設された主基板ボックス８０及び副基板ボックス８５が後方に突出される開口窓１０１を有して略方形枠状に形成されている。
【００１０】
図２と図３に示すように、機構盤１００の上部には、タンク装着部１２０と、レール装着部１３０とが上下に隣接して設けられている。そして、タンク装着部１２０には、所定量（多数個）の球Ｂを貯留して、その球Ｂを順次にタンクレール２２０に向けて供給するための球タンク２００が着脱可能に装着される。レール装着部１３０はタンクレール２２０に対応する形状に凹まされた凹部によって構成されている。そして、レール装着部１３０には、球タンク２００の供給口から供給（流出）された球Ｂを、単列又は複列、例えば、前後２列に配列し流下させかつその球Ｂを球払出装置２５０に向けて誘導案内するためのタンクレール２２０が着脱可能に装着される。図２と図４に示すように、タンクレール２２０は、合成樹脂の射出成形によって形成され、後壁部２２２と下板部２２３とを一体状に有して横断面略Ｌ字状に形成されている。また、下板部２２３は、凹部の下側壁部に沿って傾斜状に形成されるとともに、その幅方向に略中央部には、仕切り壁２２５が直角状に立設されている。そして、下板部２２３上には、その仕切り壁２２５を境として球Ｂを前後２列に配列して誘導する球通路２２７がそれぞれ区画形成されている。
【００１１】
図１〜図３に示すように、機構盤１００の後面の片側部分には、球払出装置２５０を装着するための払出装置装着部１４０が設けられている。この払出装置装着部１４０は、球払出装置２５０に対応する形状に凹まされた凹部によって構成されている。そして、払出装置装着部１４０には、賞球数、あるいは貸し球数に対応する数の球Ｂを所定位置まで払い出すための球払出装置２５０が着脱可能に装着される。この球払出装置２５０は、各種構成部品、例えば、通路切換部材、払出用モータ、払出用回転体、賞球用検出器、貸球用検出器、カバー体等の各種の構成部品がケース体２５２に配設されてユニット化（一体化）された球払出ユニット２５１によって構成されている。そして、ケース体２５２の内部には、タンクレール２２０の球通路２２７に連通する球通路２５６が形成されている。また、この実施の形態において、図１に示すように、機構盤１００の後側下部には第１のボックス装着部１７０と第２のボックス装着部１８０とがそれぞれ設けられている。そして、第１のボックス装着部１７０には、例えば、払出制御基板が収納された第１の基板ボックス４００が着脱可能に装着され、第２のボックス装着部１８０には、例えば、電源基板が収納された第２の基板ボックス４２０が着脱可能に装着されている。
【００１２】
図１〜図４に示すように、機構盤１００には、レール装着部１３０と払出装置装着部１４０との間に位置して球止装置３００に対応する球止め用装着部１６０が設けられている。すなわち、球止め用装着部１６０は、タンクレール２２０の球通路２２７と、球払出ユニット２５１（球払出装置２５０）の球通路２５６との境界部上方（球通路２２７の流出口近傍にある球Ｂによりも上方）に位置して形成された前後方向の案内孔１６１を有するボス部１６２を主体として構成されている。図３と図４に示すように、ボス部１６２の案内孔１６１は、機構盤１００の前側に開口する前孔部１６１ａと、機構盤１００の後側に開口する後孔部１６１ｂとを同一中心線上に連通して有している。そして、後孔部１６１ｂと前孔部１６１ａとの境界部には、内側に突出するストッパ部１６３が形成されている。また、後孔部１６１ｂの内周面の孔方向には、所定数の突条１６１ｃが放射状をなして突設され、これら突条１６１ｃによって後孔部１６１ｂの孔径が適宜に小さくされている。そして、後孔部１６１ｂの突条１６１ｃがなす孔径寸法は球止部材３０１の軸体３０３の外径寸法と略同じ、あるいは若干大きくなるように形成されるとともに、球止部材３０１の軸体３０３に対する接触面積が軽減されることで、軸体３０３のスライド及び回動動作が円滑化されるようになっている。
【００１３】
図３〜図６に示すように、球止め用装着部１６０のボス部１６２の外周面下部には、案内孔１６１の一部を開口して球止部材３０１（球止体３０４）のスライド動作及び揺動動作を所定範囲において許容する開口部１６５が形成されている。言い換えると、案内孔１６１の開口部１６５の両側部には、球止部材３０１の球止体３０４の揺動範囲（揺動角度）を規制する両側壁部１６７、１６８がそれぞれ設けられている。これら両側壁部１６７、１６８は、案内孔１６１に接近する上側が狭く同案内孔１６１から遠ざかる下側に向かうにしたがって広くなるように対向している。さらに、両側壁部１６７、１６８は、案内孔１６１に接近する上側部が球止部材３０１の球止体３０４の板厚寸法よりも若干大きい程度で可及的に狭くなるように対向している。また、この実施の形態において、図６に示すように、タンクレール２２０の球通路２２７と球払出装置２５０の球通路２５６のうち、上流側に位置するタンクレール２２０の球通路２２７に対応する通路方向に対して、球止部材３０１の球止体３０４を所定角度（例えば、５度〜１０度程度）だけ揺動可能に両側壁部１６７、１６８が対向している。すなわち、タンクレール２２０の球通路２２７側に位置する一方の側壁部１６７は、鉛直面に対し５度〜１０度程度傾斜し、他方の側壁部１６８は略鉛直面をなしている。
【００１４】
球止め用装着部１６０のボス部１６２の案内孔１６１には、タンクレール２２０の前後の両球通路２２７の流出口に臨んで球Ｂの流出を止める球止位置と、球Ｂの流出を許容する非球止位置とに前後方向にスライドされて配置切換される球止部材３０１を備えた球止装置３００が装着されている。すなわち、図７と図８に示すように、球止装置３００の主要部を構成する球止部材３０１は、軸体３０３、球止体３０４及び操作体３１０を一体状に備えて構成されている。この実施の形態において、球止部材３０１は、軸体３０３及び球止体３０４を一体に備えた球止本体３０２と、操作体３１０との２部品によって構成されている。
【００１５】
球止部材３０１の軸体３０３は、内孔を有して筒軸状に形成されるとともに、案内孔１６１の前孔部１６１ａの孔径寸法よりも適宜に小さく、かつ後孔部１６１ｂの突条１６１ｃがなす孔径寸法とほぼ同じ大きさの外径寸法に形成されている。また、軸体３０３の前端部外周面には、スリット状に割溝３０６によって弾性的に縮小・拡開しかつ案内孔１６１の前孔部１６１ａの内周面に圧接して所定の摩擦力を付与するとともに、案内孔１６１のストッパ部１６３に当接して抜け止めをなすフランジ状の係止部３０５が形成されている。そして、図４〜図６に示すように、軸体３０３は、球通路２２７、２５６と交差する方向の前後方向に設けられた案内孔１６１の前端開口部から前後方向にスライド可能にかつ軸線回りに回動可能に嵌挿されている。
【００１６】
軸体３０３の前半部の外周面下部には板状の球止体３０４が垂下状をなして一体に突設されている。この球止体３０４は、案内孔１６１の開口部１６５に対し前後方向にスライド移動可能で軸体３０３を揺動支点として揺動可能に挿通されている。そして、図５に示すように、軸体３０３の係止部３０５が案内孔１６１のストッパ部１６３に当接する球止位置まで後方にスライド移動されたときには、その軸体３０３と一体に移動する球止体３０４がタンクレール２２０の前後の両球通路２２７の流出口に臨んで両球通路２２７の球Ｂの流出を止めるようになっている。また、この実施の形態において、図５と図６に示すように、球止体３０４は、タンクレール２２０の前後の両球通路２２７の流出口近傍に存在する球Ｂの中心点よりも上側の部分に当接して球Ｂの流出を止めるように軸体３０３の外周面下部からの球止体３０４の突出長さが適宜に設定されている。さらに、球止体３０４の後端部及び下端部は、断面形状が先尖りの略三角形状あるいは略半円弧状に形成されている。そして、球止体３０４がタンクレール２２０の前後の両球通路２２７に交差して球止位置に配置される際、球止体３０４の後端部あるいは下端部が球Ｂに当たってその移動が阻止されることが防止されるようになっている。言い換えると、球止体３０４は球止位置まで確実にスライド移動されるようになっている。
【００１７】
図４〜図６に示すように、操作体３１０は、機構盤１００の後側において、球止本体３０２の軸体３０３の後方開口部からその筒孔内に挿入されて一体状に結合される結合軸部３１１と、その結合軸部３１１の後端部外周面に形成された大径の操作部３１２と、を一体に備えている。
【００１８】
この実施の形態は前記したように構成される。したがって、機構盤１００の球止め用装着部１６０に球止装置３００を装着する場合、まず、機構盤１００の前側において、球止本体３０２の軸体３０３が案内孔１６１の前孔部１６１ａに嵌挿され、球止体３０４が案内孔１６１の開口部１６５に挿通される。次に、機構盤１００の後側において、球止本体３０２の軸体３０３の後方開口部からその筒内に、操作体３１０の結合軸部３１１が挿入され、これによって球止本体３０２と、操作体３１０とが一体に結合されて球止部材３０１（球止装置３００）が構成されるとともに、機構盤１００の球止め用装着部１６０に装着される。この際、球止本体３０２の軸体３０３に操作体３１０の結合軸部３１１が圧入されて一体化されるか、あるいは必要に応じて接着剤を介して一体に結合される。
【００１９】
前記したように機構盤１００の球止め用装着部１６０に球止部材３０１が装着された状態において、通常時には、図４に示すように、球止部材３０１の球止体３０４が非球止位置に配置され、タンクレール２２０の前後２列の球通路２２７の流出口から球止体３０４が退避する。このため、タンクレール２２０の前後２列の球通路２２７の流出口からの球Ｂの流出が許容される。そして、タンクレール２２０の前後２列の球通路２２７の流出口から流出した球Ｂは、球払出ユニット２５１（球払出装置２５０）の前後２列の球通路２５６の流入口を経てこれら球通路２５６に流入する。
【００２０】
機構盤１００の払出装置装着部１４０に対し、球払出ユニット２５１（球払出装置２５０）を脱着するときなどにおいて、タンクレール２２０の前後２列の球通路２２７の流出口から球Ｂが流出するのを阻止する必要がある場合、図５に示すように、球止部材３０１は、その操作体３１０の操作部３１２において後方にスライド動作されて引き出される。すると、球止部材３０１の軸体３０３の係止部３０５が機構盤１００の案内孔１６１のストッパ部１６３に当接する球止位置まで案内孔１６１に案内されながら後方にスライド動作されて引き出される。これによって、球止部材３０１の球止体３０４が、案内孔１６１の開口部１６５を通しかつタンクレール２２０の前後２列の球通路２２７に直交状に交差する球止位置に配置される。
【００２１】
球止体３０４が球止位置に配置されることで、タンクレール２２０の前後２列の球通路２２７の流出口が球止体３０４によって部分的に塞がれる。このため、タンクレール２２０の球通路２２７の流出口から球Ｂが流出するのを阻止することができる。球止体３０４が球止位置に配置された状態で、機構盤１００の払出装置装着部１４０に対し球払出ユニット２５１（球払出装置２５０）が取り外され、保守点検あるいは不良個所、不良部品の修理、交換等が行われた後、球払出ユニット２５１が装着される。なお、球払出ユニット２５１全体が交換使用される場合もある。球払出ユニット２５１が装着された後、前記とは逆に、球止部材３０１が前方にスライド動作されて押し込まれることで、球止体３０４がタンクレール２２０の球通路２２７の流出口から退避して球Ｂの流出を許容する元の非球止位置に配置される。
【００２２】
前記したように、球止体３０４がタンクレール２２０の前後の両球通路２２７に交差する後方にスライド動作されて球止位置に配置される際、球止体３０４の後端部（あるいは下端部）が球Ｂの中心を通る方向に当たることがある。すると、球止体３０４は、案内孔１６１の開口部１６５の両側壁部１６７、１６８の間において、軸体３０３を揺動支点としかつ前記球Ｂの外周面に沿って回動されながら後方にスライド動作される。このため、球止体３０４は球止位置まで確実にスライド移動される。なお、軸体３０３を揺動支点として回動された球止体３０４（図６の２点鎖線に示す）は、その後、球払出ユニット２５１が取り外されることによって、タンクレール２２０の球通路２２７の球Ｂの流圧を受けて開口部１６５の他方の側壁部１６８に当接する元の位置まで軸体３０３を揺動支点として回動される。
【００２３】
また、この実施の形態において、案内孔１６１の開口部１６５の両側壁部１６７、１６８は、案内孔１６１に接近する上側が狭く同案内孔１６１から遠ざかる下側に向かうにしたがって広くなるように対向している。特に、両側壁部１６７、１６８は、案内孔１６１に接近する上側部が球止部材３０１の球止体３０４の板厚寸法よりも若干大きい程度で可及的に狭くなるように対向している。これによって、案内孔１６１の後孔部１６１ｂによる球止部材３０１の球止体３０４のスライド動作及び揺動動作がガタツキなく円滑に行われる。
【００２４】
また、この実施の形態において、図６に示すように、球止部材３０１の球止体３０４が、両球通路２２７、２５６のうち、上流側に位置する球通路２２７に対応する通路方向に対して、球止部材３０１の球止体３０４を所定角度（例えば、５度〜１０度程度）だけ揺動可能に両側壁部１６７、１６８が対向している。言い換えると、タンクレール２２０の球通路２２７側に位置する一方の側壁部１６７は、鉛直面に対し５度〜１０度程度傾斜し、他方の側壁部１６８は略鉛直面をなしている。このため、球止体３０４の後端部（あるいは下端部）が球Ｂの中心を通る方向に当たった場合、球止体３０４は、タンクレール２２０と球払出ユニット２５１の両球通路２２７、２５６のうち、上流側のタンクレール２２０の球通路２２７の通路方向に対して軸体３０３を揺動支点とする。すなわち、球払出ユニット２５１の球通路２５６には球Ｂが一連に連続してその内部の停止状態にある回転体（図示しない）上で止められているため、球止体３０４は、球払出ユニット２５１の球通路２５６の方向には軸体３０３を揺動支点と回動することが困難である。これに比べ、タンクレール２２０の球通路２２７は、球タンク２００に連通しているため、タンクレール２２０の球通路２２７の球Ｂはその上流側に向けて比較的小さい力で移動される。したがって、球止体３０４は、前記球Ｂの外周面に沿いかつタンクレール２２０の球通路２２７の通路方向に対して軸体３０３を揺動支点として回動しながら球止位置まで確実にスライド移動される。
【００２５】
また、球止部材３０１の軸体３０３の少なくとも一部、この実施の形態においては軸体３０３の前端部外周面に、スリット状に割溝３０６によって弾性的に縮小・拡開可能なフランジ状の係止部３０５が形成されている。そして、軸体３０３の係止部３０５が案内孔１６１の前孔部１６１ａの内周面に圧接して所定の摩擦力を付与することができる。このため、球止部材３０１が不測に移動する不具合を防止することができ、同球止部材３０１の球止体３０４を球止位置あるいは非球止位置に保持することができる。また、図４と図５に示すように、案内孔１６１の前孔部１６１ａの前端開口部近傍には大径の係止孔部１６１ｄが形成されている。そして、球止部材３０１の球止体３０４が非球止位置に配置されたときには、軸体３０３の係止部３０５が弾性的に拡開して前孔部１６１ａの係止孔部１６１ｄに係合することで、球止部材３０１の球止体３０４が球止位置に向けて不測に移動する不具合をより一層確実に防止することができる。
【００２６】
なお、この発明は前記実施の形態に限定するものではない。例えば、前記実施の形態においては、球止部材３０１の球止体３０４をタンクレール２２０の球通路２２７に対して所定角度（例えば、５度〜１０度程度）だけ揺動可能に、案内孔１６１の開口部１６５の一方の側壁部１６７（タンクレール２２０の球通路２２７側の側壁部）が鉛直面に対し５度〜１０度程度傾斜し、他方の側壁部１６８は略鉛直面をなしている場合を例示したが、これに限定するものではない。すなわち、球止部材３０１の球止体３０４をタンクレール２２０の球通路２２７と、球払出ユニット２５１（球払出装置２５０）の球通路２５６の両側方に対してそれぞれ所定角度（例えば、５度〜１０度程度）だけ揺動可能に、案内孔１６１の開口部１６５の両側壁部１６７、１６８を略ハの字状に対向させてもよい。また、案内孔１６１の開口部１６５の両側壁部１６７、１６８は略平行状に対向させ、これら両側壁部１６７、１６８の間隔寸法を、球止部材３０１の球止体３０４の板厚寸法よりも適宜に大きく設定することによって、球止部材３０１の球止体３０４をタンクレール２２０の球通路２２７と、球払出ユニット２５１（球払出装置２５０）の球通路２５６との少なくとも片側あるいは両側に所定角度だけ揺動可能に構成することも可能である。
【００２７】
また、前記実施の形態においては、球止部材３０１の球止体３０４が前側の非球止位置から案内孔１６１に沿って後方にスライド移動されて球止位置に配置切換される構成にしたが、これとは逆に、球止部材３０１の球止体３０４が後側の非球止位置から案内孔１６１に沿って前方にスライド移動されて球止位置に配置切換される構成にすることも可能である。さらに、球止部材３０１の球止体３０４が上方の非球止位置から下方にスライド移動されて球止位置に配置切換される構成にすることも可能で、これとは逆に、球止部材３０１の球止体３０４が下方の非球止位置から上方にスライド移動されて球止位置に配置切換される構成にすることも可能である。
【００２８】
また、前記実施の形態においては、機構盤１００のレール装着部１３０と払出装置装着部１４０との間に位置して球止部材３０１（球止装置３００）に対応する案内孔１６１を有するボス部１６２（球止め用装着部１６０）が設けられている場合を例示したが、タンクレール２２０の所定位置に球止め用装着部を形成して球止部材３０１を装着することも可能である。また、前記実施の形態においては、タンクレール２２０の球通路２２７を流れる球を止めるために、球止部材３０１（球止装置３００）を装着したが、これに限定するものではない。例えば、球払出ユニット２５１（球払出装置２５０）の球通路２５６の所定位置に球止部材３０１を配設してもよく、また、球集合樋の球通路の所定位置に球止部材３０１を配設してもよい。また、前記実施の形態においては、軸体３０３及び球止体３０４を一体に備えた球止本体３０２と、操作体３１０との２部品によって球止部材３０１が構成される場合を例示したが、１部品によって球止部材３０１を構成することも可能である。また、３部品あるいはそれ以上の部品によって球止部材３０１を構成してもよい。例えば、軸体３０３と、球止体３０４と、操作体３１０とをそれぞれ別個に形成して、これら３部品を一体状に組み付けて球止部材３０１を構成してもよい。
【００２９】
【発明の効果】
以上述べたように、この発明に係る遊技機によれば、球止部材を非球止位置から球止位置まで確実にスライド動作させて配置切換することができ、球通路から球が不測に流出する不具合を防止することができる。
【図面の簡単な説明】
【図１】この発明の実施の形態に係る遊技機を後方から示す背面図である。
【図２】同じく機構盤上部のレール装着部、払出装置装着部及び球止め用装着部の各装着部にタンクレール、球払出装置及び球止部材が装着された状態を示す背面図である。
【図３】同じく機構盤上部のレール装着部、払出装置装着部及び球止め用装着部を示す背面図である。
【図４】同じく機構盤上部の球止め用装着部に装着された球止部材が非球止位置に配置された状態を示す縦断面図である。
【図５】同じく球止部材が球止位置に配置された状態を示す縦断面図である。
【図６】同じく球止部材の軸体、球止体、案内孔、開口部及び球通路の関係を示す作用説明図である。
【図７】同じく球止部材の球止本体と操作体とが分離された状態を破断して示す斜視図である。
【図８】同じく球止部材の球止本体と操作体とが分離された状態を示す斜視図である。
【符号の説明】
１００  機構盤
１２０  タンク装着部
１３０  レール装着部
１４０  払出装置装着部
１６０  球止め用装着部
２００  球タンク
２２０  タンクレール
２５０  球払出装置
３００  球止装置
３０１  球止部材
３０２  球止本体
３０３  軸体
３０５  係止部
３１０  操作体
【図１】
0004122841.tif 000002
【図２】
0004122841.tif 000003
【図３】
0004122841.tif 000004
【図４】
0004122841.tif 000005
【図５】
0004122841.tif 000006
【図６】
0004122841.tif 000007
【図７】
0004122841.tif 000008
【図８】
0004122841.tif 000009